(57)【特許請求の範囲】
【請求項１】
前扉と後扉とを有する引き違い扉において、
前扉は、その厚み方向に後扉と離れて対向し、
閉じた前扉と後扉との対向間隔内に差し込まれ、差込後、回動することで、前扉と後扉とを一体に固定する扉用輸送クリップであって、
上記クリップは、
前扉と後扉との対向間隔内に差し込まれ、該対向間隔内で回動可能であって、回動する際の軸の方向を前扉と後扉との開閉方向と平行とする軸部と、
この軸部の一端側に設けられ、前扉の端面に少なくとも当接する前扉当接部と、
軸部の他端側に設けられ、該前扉当接部と対向し、前記軸部の回動後に後扉の端面に少なくとも当接する後扉当接部とを備えたことを特徴とする扉用輸送クリップ。
【請求項２】
後扉当接部には、後扉の端面に弾性的に当接する弾性片を設けたことを特徴とする請求項１記載の扉用輸送クリップ。
【請求項３】
軸部には、前扉の表面側に延びた操作部を設け、
この操作部には、前扉の表面に当接し、軸部の回動時に前扉の端部を乗り越えて、前扉と後扉との対向間隔内にはまり込むカム部を設けたことを特徴とする請求項１又は請求項２記載の扉用輸送クリップ。
【発明の詳細な説明】
【０００１】
【発明の属する産業分野】
この発明は、事務機器や家具等の引き違い扉用の輸送クリップに関し、輸送時に扉が開閉したり、ガタ付かないように固定するものである。
【０００２】
【従来の技術】
従来、事務機器や家具等のキャビネットの引き違い扉は、輸送時に前後の一方の扉を開き、両扉を前後に重ね合わせた状態で、両扉の端面と戸当たりとの間に、長尺な発泡スチロール等を挟み、ガムテープ等を使用してキャビネットに固定していた。
【０００３】
【発明が解決しようとする課題】
しかし、上記した従来の発泡スチロールを使用した固定方法では、次のような種々の問題点があった。
第１に、発泡スチロール等を挟んでガムテープで固定しなければならないので、両扉の固定が面倒で手数がかかるという問題点があった。
【０００４】
第２に、発泡スチロール自身が嵩張るので、その保管に大きなスペースが必要であるという問題点があった。
第３に、キャビネットのサイズにより、種々の長さの発泡スチロールが必要となるという問題点があった。
例えば、種々の長さに切断した発泡スチロールを予め用意しておいても良いが、これらの管理が面倒となる。また、長尺な発泡スチロールを使用時に適宜長さに切断して使用することも可能であるが、切断が面倒であるばかりでなく、切断時に屑が出る等、新たな問題点が生じてしまう。
【０００５】
第４に、ガムテープをキャビネットに貼り付けると、ガムテープを剥がした際に、扉やキャビネットに接着剤が残ってしまうという問題点があった。
第５に、扉を開いた状態で輸送するため、キャビネット内に埃などが入ってしまうという問題点があった。
そこで、請求項１記載の発明は、上記した従来の技術の有する問題点に鑑み提案されたもので、その目的とするところは、次の点にある。
【０００６】
すなわち、請求項１記載の発明は、扉の固定が簡便に且つ迅速にできるようにしたものである。
請求項２記載の発明は、上記した請求項１記載の発明の目的に加え、次の点を目的とする。
すなわち、請求項２記載の発明は、輸送時に扉がガタ付かないようにしたものである。
【０００７】
請求項３記載の発明は、上記した請求項１又は請求項２記載の発明の目的に加え、次の点を目的とする。
すなわち、請求項３記載の発明は、操作感を改善し、両扉を確実に固定できるようにしたものである。
【０００８】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【０００９】
請求項１記載の発明は、次の点を特徴とする。
すなわち、扉用輸送クリップ(50)であって、このクリップ(50)は、例えば図１，１０に示すように、閉じた前扉(30)と後扉(40)との対向間隔(21)内に差し込まれ、差込後、回動することで、前扉(30)と後扉(40)とを一体に固定するものである。
【００１０】
そして、クリップ(50)は、次の３つの構成を備える。
第１は、軸部(60)であり、例えば図１，１０に示すように、前扉(30)と後扉(40)との対向間隔(21)内に差し込まれ、該対向間隔(21)内で回動可能なものである。
これに加えて、軸部(60)は、回動する際の軸の方向を前扉(30)と後扉(40)との開閉方向と平行としている。
【００１１】
第２は、前扉当接部(67)であり、例えば図１０，１１に示すように、軸部(60)の一端側に設けられ、前扉(30)の端面に当接するものである。
第３は、後扉当接部(62)であり、例えば図１０，１１に示すように、軸部(60)の他端側に設けられ、前扉当接部(67)と対向し、前記軸部(60)の回動後に後扉(40)の端面に少なくとも当接するものである。
【００１２】
請求項２記載の発明は、上記した請求項１に記載の発明の特徴点に加え、次の点を特徴とする。
すなわち、後扉当接部(62)には、例えば図１０，１１に示すように、後扉(40)の端面に弾性的に当接する弾性片(66)を設けている。
請求項３記載の発明は、上記した請求項１又は請求項２に記載の発明の特徴点に加え、次の２つの点を特徴とする。
【００１３】
第１に、軸部(60)には、例えば図１に示すように、前扉(30)の表面側に延びた操作部(70)を設けている。
第２に、操作部(70)には、例えば図８，１０に示すように、前扉(30)の表面に当接し、軸部(60)の回動時に前扉(30)の端部を乗り越えて、前扉(30)と後扉(40)との対向間隔(21)内にはまり込むカム部(72)を設けている。
（作用）
つぎに、上記した特徴点を備えた各請求項にそれぞれ記載された各発明の作用について、以下に説明する。
【００１４】
請求項１記載の発明によれば、次のような作用を奏する。
すなわち、前扉(30)と後扉(40)とを閉じた状態で、例えば図８，９に示すように、その対向間隔(21)内に軸部(60)を差し込む。
その後、軸部(60)を回動させると、例えば図１０,１１に示すように、前扉当接部(67)が前扉(30)の端面に当接するとともに、後扉当接部(62)が後扉(40)の端面に当接する。
【００１５】
なお、前扉当接部(67)は、軸部(60)の回動前に、前扉(30)の端面に当接していても良い。
こうして、クリップ(50)を介して、前扉(30)と後扉(40)とを一体に固定する。
搬送後は、クリップ(50)を逆転することで、クリップ(50)は、前扉(30)と後扉(40)との対向間隔(21)内から抜ける。
【００１６】
請求項２記載の発明によれば、上記した請求項１記載の発明の作用に加え、次のような作用を奏する。
すなわち、後扉当接部(62)に設けた弾性片(66)が、例えば図１０，１１に示すように、後扉(40)の端面に弾性的に当接する。
請求項３記載の発明は、上記した請求項１又は請求項２に記載の発明の作用に加え、次のような作用を奏する。
【００１７】
すなわち、クリップ(50)を回動する際に、例えば図１に示すように、その操作部(70)を持って回動できる。
クリップ(50)を回動すると、そのカム部(72)が、図８,１２に示すように、前扉(30)の表面に当接しながら、前扉(30)の端部を乗り越えて、前扉(30)と後扉(40)との対向間隔(21)内にはまり込む。
【００１８】
【発明の実施の形態】
（図面の説明）
図１〜１２は、本発明の実施の形態の一例を示すものである。
図１は、扉用輸送クリップと引き違い戸とを示す一部斜視図、図２は引き違い戸を有するキャビネットの斜視図を示す。
【００１９】
図３〜７は、クリップを示し、図３は側面図、図４は平面図、図５は底面図、図６は正面図、図７は背面図をそれぞれ示す。
図８，９は、クリップを引き違い戸に差し込んだ状態を示すもので、図８は平面図、図９は側面図をそれぞれ示す。
図１０〜１２は、クリップを回動した状態を示すもので、図１０は斜視図、図１１は平面図、図１２は側面図をそれぞれ示す。
（キャビネット）
図２中、10は、事務機器や家具等のスチール製のキャビネットを示す。
【００２０】
上記キャビネット10の開口前面には、図２に示すように、引き違い扉20が設けられ、この引き違い扉20は、前扉30と後扉40とから構成されている。
上記前扉30は、図１に示すように、厚み方向に後扉40と離れて対向している。そして、前扉30の端部には、その裏面から後扉40に向かって断面コ字形に屈曲し、矩形に突出した突出部31を設けている。
【００２１】
また、後扉40の端部にも、図１に示すように、その裏面からキャビネット10の奥に向かって断面コ字形に屈曲し、矩形に突出した突出部41を設けている。
そして、キャビネット10の開口前面を閉じた状態で、両扉30,40の突出部31,41が、図１，８に示すように、前後方向に一部重なり合う。
なお、キャビネット10を、スチール製としたが、これに限らず、木製であっても良い。
【００２２】
また、引き違い扉20を、２枚の扉30,40から構成したが、これに限らず、３枚以上の扉から構成しても良い。
（クリップ）
図１中、50は、扉用輸送クリップを示すものであり、このクリップ50は、閉じた状態の前扉30と後扉40との対向間隔21内に差し込まれ、差込後、回動することで、前扉30と後扉40とを一体に固定するものである。
【００２３】
上記クリップ50は、図１に示すように、大別すると、前扉30と後扉40との対向間隔21内に差し込まれ、この対向間隔21内で回動可能な軸部60と、この軸部60から前扉30の表面側に延びた操作部70とを備えている。
そして、クリップ50は、適度な弾性と剛性とを有する、例えばＰＯＭ等のプラスチックにより一体的に成形されている。
【００２４】
前記軸部60は、図１に示すように、両扉30,40の対向間隔21内で回動可能な大きさの略四角柱状に形成されている。
上記軸部60の基端側には、図１，１１に示すように、回動後に前扉30の突出部31がはまり込む前扉固定凹部61と、この前扉固定凹部61と背向し、後扉40の端面に少なくとも当接する後扉当接部62とを備える。
【００２５】
上記前扉固定凹部61は、図１０，１１に示すように、前扉30の突出部31がはまり込む大きさに形成されている。具体的には、前扉固定凹部61は、図１に示すように、前記軸部60の上面から上方に向かってブロック状に突出し、前扉30の端面に当接する前扉当接部67を有する前扉当接ブロック63と、この前扉当接ブロック63と同様に上方に向かって突出し、前扉当接ブロック63と対向する片状の前扉当接片64とを備えている。
【００２６】
前記後扉当接部62は、図１に示すように、前記軸部60の先端部下面から前扉当接ブロック63と背向し、下方に向かってブロック状に突出した後扉当接ブロック65と、この後壁当接ブロック65から後扉40の端面に向かって突出し、後扉40の端面に弾性的に当接する弾性片66とを備えている。
前記操作部70は、図１に示すように、前記軸部60の側面から手前側に向かってクランク状に屈曲して突出した屈曲片71と、この屈曲片71の長さの途中から三角形状に張り出し、前扉30の表面に当接し、軸部60の回動時に前扉30の端部を乗り越えて、前扉30と後扉40との対向間隔21内にはまり込むカム部72とを備える。
（クリップの使用方法）
つぎに、上記した構成を備えたクリップ50の使用方法を説明する。
【００２７】
まず、図２に示すように、前扉30及び後扉40を閉じる。
つぎに、クリップ50の軸部60を、図８，９に示すように、前扉30と後扉40の対向間隔21内に差し込む。
このとき、クリップ50のカム部72が、図８に示すように、前扉30の端面に当接する迄、軸部60を深く差し込む。
【００２８】
つぎに、クリップ50の屈曲片71を持って、図１０〜１２に示すように、屈曲片71を下方に向かって押し下げるようにして回動する。
このとき、クリップ50のカム部72が、図８に示すように、前扉30の端面の手前側の角部に当接する。
さらに、クリップ50を強く回動させると、図１１，１２に示すように、カム部72が前扉30の端部を乗り越えて、両扉30,40の対向間隔21内にパチンとはまり込み、操作者にクリック感を与える。
【００２９】
そして、クリップ50が回動すると、図１０，１１に示すように、その前扉固定凹部61内に前扉30の突出部31がはまり込む。
また、このとき、クリップ50の弾性片66が、図１０，１１に示すように、後扉40の端面に弾性的に当接する。
このため、前扉30及び後扉40は、クリップ50を介して、キャビネット10の開口前面を閉じた状態に固定される。
【００３０】
すなわち、前扉30が開方向にスライドしようとすると、前扉30の端面が、前扉固定凹部61の前扉当接ブロック63の前扉当接部67に当接する。
また、逆に、後扉40が開方向にスライドしようとすると、後扉40の端面が弾性片66に当接する。
このため、両扉30,40が共に、キャビネット10の開口前面を開く開方向にスライドできなくなる。
【００３１】
また、クリップ50に、両扉30,40の対向間隔21から抜ける方向に外力が加わった場合も同様である。
一方、搬送後、キャビネット10を使用する際には、クリップ50の屈曲片71を持って、図１に示すように、屈曲片71を上方に引き上げるように回動すれば良い。
このように、回動すると、カム部72が前扉30の端部を乗り越える際に、クリック感を伴い、クリップ50が逆転し、両扉30,40の対向間隔21から引き抜くことができる。
【００３２】
なお、引き抜いて回収したクリップ50は、再利用も可能であり、資源の有効利用が図れる。
また、クリップ50の弾性片66が、後扉40の端面に弾性的に当接することから、クリップ50やキャビネット10の製造誤差を許容でき、又、サイズが有る程度異なる引き違い扉20にも利用できる。
【００３３】
さらに、引き違い扉20に鍵があるものは、鍵を施錠して扉を閉状態に固定できるほか、鍵を開錠した状態で、本実施例のクリップ50により固定しても良い。
【００３４】
【発明の効果】
本発明は、以上のように構成されているので、以下に記載されるような効果を奏する。
請求項１記載の発明によれば、次のような効果を奏する。
すなわち、請求項１記載の発明によれば、扉の固定を簡便に且つ簡便に行うことができる。
【００３５】
請求項２記載の発明によれば、上記した請求項１記載の発明の効果に加え、次のような効果を奏する。
すなわち、請求項２記載の発明によれば、輸送時に扉がガタ付かないようできる。
請求項３記載の発明によれば、上記した請求項１又は請求項２記載の発明の効果に加え、次のような効果を奏する。
【００３６】
すなわち、請求項３記載の発明によれば、操作感を改善し、両扉を確実に固定することができる。
【図面の簡単な説明】
【図１】  扉用輸送クリップと引き違い戸とを示す一部斜視図である。
【図２】  引き違い戸を有するキャビネットの斜視図である。
【図３】  クリップの側面図である。
【図４】  図３の平面図である。
【図５】  図３の底面図である。
【図６】  図３の正面図である。
【図７】  図３の背面図である。
【図８】  クリップを引き違い戸に差し込んだ状態を示す平面図である。
【図９】  図８の側面図である。
【図１０】  クリップを回動した状態を示す斜視図である。
【図１１】  図１０の平面図である。
【図１２】  図１０の側面図である。
【符号の説明】
10  キャビネット  20  引き違い扉
21  対向間隔      30  前扉
31  突出部        40  後扉
41  突出部        50  クリップ
60  軸部          61  前扉固定凹部
62  後扉当接部    63  前扉当接ブロック
64  前扉当接片    65  後扉当接ブロック
66  弾性片        67  前扉当接部
70  操作片        71  屈曲部
72  カム部
【図１】
0003749565.tif 000002
【図２】
0003749565.tif 000003
【図３】
0003749565.tif 000004
【図４】
0003749565.tif 000005
【図５】
0003749565.tif 000006
【図６】
0003749565.tif 000007
【図７】
0003749565.tif 000008
【図８】
0003749565.tif 000009
【図９】
0003749565.tif 000010
【図１０】
0003749565.tif 000011
【図１１】
0003749565.tif 000012
【図１２】
0003749565.tif 000013